(57)【要約】【課題】フィルターの洗浄開始時の自動化およびメンテナンスフリーとし、かつ、洗浄時にラインを停止させないようにする。【解決手段】異物が混入した処理液流入口と濾過された濾過液流出口とを備えたケース内部に筒形状のフィルターを収容し、該フィルター外とフルター中空部のいずれか一方を上記処理液流入口と連通する処理水溜め部とすると共にいずれか他方を濾過後の濾過液流出口と連通する濾過液溜め部とし、該濾過液溜め部にノズルを付設した洗浄液供給管を配管し、洗浄液供給管には濾過液を循環させて洗浄用ポンプで加圧して供給し、  あるいは／および別に用意した洗浄液を洗浄用ポンプで加圧して供給し，かつ、上記洗浄用ポンプを上記フィルターの内外液圧の差圧を検出する差圧センサーからの信号で駆動制御し或いは／およびタイマーにより駆動制御し、該洗浄用ポンプの駆動で上記ノズルより上記高圧洗浄水を濾過方向と逆方向にフィルターの全面にわたって噴射させている。【選択図】  図１
2004230298.tif 000002
【特許請求の範囲】
【請求項１】
異物が混入した処理液流入口と濾過された濾過液流出口とを備えたケース内部に筒形状のフィルターを収容し、該フィルター外とフィルター中空部のいずれか一方を上記処理液流入口と連通する処理水溜め部とすると共にいずれか他方を上記濾過後の濾過液流出口と連通する濾過液溜め部とし、該濾過液溜め部にノズルを付設した洗浄液供給管を配管し、
上記洗浄液供給管には、  上記濾過液を循環させて洗浄用ポンプで加圧して供給し、  あるいは／および別に用意した洗浄液を洗浄用ポンプで加圧して供給し、
かつ、上記洗浄用ポンプを上記フィルターの内外液圧の差圧を検出する差圧センサーからの信号で駆動制御し、或いは／およびタイマーにより駆動制御し、該洗浄用ポンプの駆動で上記ノズルより上記高圧洗浄水を濾過方向と逆方向にフィルターの全面にわたって噴射させ、該フィルターに付着した異物と洗浄液を上記処理液溜め部へと吹き飛ばさせ、該処理液溜め部をドレン管と連通させて異物混入ドレン液を排出させる構成としていることを特徴とするフィルターの自動洗浄装置。
【請求項２】
上記濾過液流出口に連通させた濾過液取出管より分岐させた循環管を設け、該循環管を上記洗浄液供給管に連続させ、洗浄水として濾過後の濾過液を用いると共に、該循環管に洗浄用ポンプを介設して濾過液を高圧洗浄水として上記洗浄液供給管に供給している請求項１に記載のフィルターの自動洗浄装置。
【請求項３】
上記循環管には上記洗浄用ポンプの上流位置にストレーナを介設している請求項２に記載のフィルターの自動洗浄装置。
【請求項４】
上記洗浄液供給管あるいは上記フィルターを回転させる駆動手段を設けている請求項１乃至請求項３のいずれか１項に記載のフィルターの自動洗浄装置。
【請求項５】
上記ドレン管に開閉弁を設け、該開閉弁を上記ポンプの駆動時に開き、汚物混入ドレン液を排出させる構成としている請求項１乃至請求項４のいずれか１項に記載のフィルターの自動洗浄装置。
【請求項６】
上記筒形状のフィルターの中空部を上記濾過液溜め部とすると共に、ケース内周面とフィルター外周面に囲まれた部分を処理液溜め部とし、
上記洗浄液供給管は上記筒形状のフィルターの中心軸線に沿って略全長にわたる長さとし、長さ方向に間隔をあけてノズルを配置し、該洗浄液供給管のケース外に突出した部位に回転用モータを付設し、該回転用モータを上記ポンプの駆動時に駆動させて上記洗浄液供給管を回転させ、上記フィルターの内面全周に高圧洗浄液を噴射させる構成としている請求項１乃至請求項５のいずれか１項に記載のフィルターの自動洗浄装置。
【請求項７】
上記筒形状のフィルターの中空部を処理液水溜め部とすると共に、ケース内周面とフィルター外周面に囲まれた部分を濾過液溜め部とし、
上記洗浄液供給管は、上記筒形状のフィルターの全長にわたる長さとし、長さ方向に間隔をあけてノズルを配置すると共に、上記ケース内面の所定位置に固定する一方、
上記フィルターの端面に連結して上記ケース外に突出した部位に回転用モータを付設し、該回転用モータを上記ポンプの駆動時に駆動させて高圧洗浄液噴射時には上記フィルターを回転させ、該フィルターの外面全周に高圧洗浄液を噴射させる構成としている請求項１乃至請求項５のいずれか１項に記載のフィルターの自動洗浄装置。
【請求項８】
上記フィルターは断面三角形状としたウエッジワイヤーを軸線方向として環状に並設して連結した構成、或いは、メッシュ材やパンチング材からなる円筒材で構成している請求項１乃至請求項７のいずれか１項に記載のフィルターの自動洗浄装置。
【発明の詳細な説明】
【０００１】
【発明の属する技術分野】
本発明は汚水を濾過して浄水とするフィルターの自動洗浄装置に関し、特に、フィルターが詰まると高圧洗浄水をノズルを用いて吹き付けて異物の除去を自動的に図るものである。
【０００２】
【従来の技術】
従来、汚水濾過器等に内蔵するフィルターは処理液中に混入する異物を捕捉するため設置されるものであるため、フィルターには異物が付着して目詰まりが発生しやすい構成となっている。目詰まりが発生するとフィルターを通して処理液が通過しにくくなり、濾過作用が著しく低下するため、フィルターを洗浄する必要がある。
【０００３】
一般には、定期的に作業員が濾過器よりフィルターを取り出し、ブラシやヘラを用い、フィルターの表面を擦って異物を掻き取っているが、フィルター表面を擦る際に異物をフィルターの目（隙間）に押し込み、さらに細分化して除去しにくくなり、かつ、掻き取る際にフィルターに損傷を与える恐れもあった。
また、洗浄時には繁雑な部品の着脱、消耗品の交換、メンテナンスを必要とする等、手数がかかる問題もあった。
【０００４】
上記した問題に対して、特許第２６７０８３１号（特許文献１）に開示された逆洗浄式の洗浄方法が近時用いられてきている。
上記逆洗浄方式によるフィルターの洗浄は、フィルターの外部あるいはフィルターの中空部に洗浄液配管を配置し、該洗浄液配管に付設したノズルから洗浄液をフィルターに対して濾過方向とは逆方向に噴射して、フィルターに付着した粒状物を除去している。
【０００５】
【特許文献１】
特許第２６７０８３１号
【０００６】
【発明が解決しようとする課題】
上記特許文献１に開示された洗浄システムでは、フイルターの洗浄時期をどのように設定しているのか開示されていない。異物の混入量が多い処理液ではフィルターの目詰まりが発生しやすいため、必要な時期に自動的に洗浄を開始する必要があり、フィルターの洗浄時期を自動化することが特に要求されている。
また、特許文献１でノズルから噴射する洗浄液として、濾過後の浄水を利用することも開示されているが、該濾過後の浄水は圧力が低くなる場合が多く、洗浄液の圧力が低下すると洗浄能力も低下し、安定した洗浄効果が得られない問題がある。
上記特許文献１以外にも逆洗浄方式を備えた洗浄装置が開示されているが、殆どが洗浄力を確保するためにフィルターを部分的に順番に洗浄していく複雑な構造となっており、故障の要因となり、メンテナンスの必要性が高くなる問題もある。
【０００７】
本発明は上記問題を解消せんとするもので、フィルターの洗浄時が自動設定されると共に、洗浄液を高圧水として洗浄能力を高めると共に安定した洗浄を行え、しかも、洗浄時におけるフィルターの分割、移動等を無くして、洗浄時の状態のままで洗浄を行えるようにすることを課題としている。
【０００８】
【課題を解決するための手段】
上記課題を解決するため、本発明は、異物が混入した処理液流入口と濾過された濾過液流出口とを備えたケース内部に筒形状のフィルターを収容し、該フィルター外とフィルター中空部のいずれか一方を上記処理液流入口と連通する処理水溜め部とすると共にいずれか他方を上記濾過後の濾過液流出口と連通する濾過液溜め部とし、該濾過液溜め部にノズルを付設した洗浄液供給管を配管し、
上記洗浄液供給管には、  上記濾過液を循環させて洗浄用ポンプで加圧して供給し、  あるいは／および別に用意した洗浄液を洗浄用ポンプで加圧して供給し、
かつ、上記洗浄用ポンプを上記フィルターの内外液圧の差圧を検出する差圧センサーからの信号で駆動制御し、或いは／およびタイマーにより駆動制御し、該洗浄用ポンプの駆動で上記ノズルより上記高圧洗浄水を濾過方向と逆方向にフィルターの全面にわたって噴射させ、該フィルターに付着した異物と洗浄液を上記処理液溜め部へと吹き飛ばさせ、該処理液溜め部をドレン管と連通させて異物混入ドレン液を排出させる構成としていることを特徴とするフィルターの自動洗浄装置を提供している。
【０００９】
濾過液を循環して再利用する場合には、上記濾過液流出口に連通させた濾過液取出管より分岐させた循環管を設け、該循環管を上記洗浄液供給管に連続させ、洗浄水として濾過後の濾過液を用いると共に、該循環管に洗浄用ポンプを介設して濾過液を高圧洗浄水として上記洗浄液供給管に供給している。
また、上記洗浄用ポンプの上流位置にストレーナを介設していることが好ましい。
【００１０】
濾過液の循環利用と、上記別途用意する洗浄液、例えば、上水道水の利用とを併用する場合には、上記循環管の洗浄用ポンプより上流位置で上水道水の供給管と分岐させ、該分岐位置に流路切替弁を介設している。
上記構成とすると、濾過液の使用量に応じて、上水道水を洗浄液として補充して利用することができる。
【００１１】
上記のように、本発明では、ノズルから洗浄液を噴射してフィルターを洗浄する時期を、フィルターの内外液圧の差圧センサーからの信号あるいは／およびタイマーで自動設定している。
上記差圧センサーの信号で設定する場合、フィルターの目詰まりがひどくなると、処理液の液圧が濾過液よりも高くなり、この差圧センサーからの検出信号により洗浄を開始する設定とすると、所要時期に洗浄を自動開始することができる。また、この差圧センサーによらずに、予め目詰まりが発生する時期を経験的に知見しておき、タイマーにより洗浄開始時期を自動設定していもよい。いずれの場合も、フィルターを洗浄すべき時期にノズルより洗浄液の噴射を自動的に行って、フィルターを自動洗浄することができ、常に、フィルターによる良好な濾過作用を安定して維持することができる。
さらに、タイマーによる洗浄時期の設定と上記差圧センサーの信号による洗浄時期の設定とを併用し、タイマーにより定常的に洗浄すると共に、急にフィルターに目詰まりが生じると、差圧センサーで検知して洗浄を行うようにしてもよい。
【００１２】
特に、本発明では、フィルターにより濾過された濾過液をノズルから噴射する洗浄液として利用して節水効果を挙げているが、洗浄効果を高めるため、ポンプを介在させて高圧洗浄水としている。このように、ポンプを介在させると、洗浄液の液圧も制御でき、処理液の異物混入状況に応じて洗浄液を高圧化させて、フィルターに付着する異物を確実に除去することができる。
【００１３】
上記洗浄液供給管あるいは上記フィルターを回転させる駆動手段を設けている。即ち、フィルターの中空部を濾過液溜め部とした場合には、該フィルターの中空部に垂設する洗浄液供給管を回転させ、筒形状のフィルターの内周面全面に洗浄液を噴射している。一方、フィルターの中空部に処理液を導入して処理液溜め部とし、フィルター外を濾過液溜め部とした場合には、フィルター外に洗浄液供給管を配してフィルター外面に洗浄液を噴霧させるため、洗浄液供給管を固定して、フィルターを回転させることが好ましい。
【００１４】
具体的には、上記筒形状のフィルターの中空部を上記濾過液溜め部とすると共に、ケース内周面とフィルター外周面に囲まれた部分を処理液溜め部とし、
上記洗浄液供給管は上記筒形状のフィルターの中心軸線に沿って略全長にわたる長さとし、長さ方向に間隔をあけてノズルを配置し、該洗浄液供給管のケース外に突出した部位に回転用モータを付設し、該回転用モータを上記ポンプの駆動時に駆動させて上記洗浄液供給管を回転させ、上記フィルターの内面全周に高圧洗浄液を噴射させる構成としている。
【００１５】
また、上記構成とは逆に、上記筒形状のフィルターの中空部を処理液水溜め部とすると共に、ケース内周面とフィルター外周面に囲まれた部分を濾過液溜め部とした場合、
上記洗浄液供給管は、上記筒形状のフィルターの全長にわたる長さとし、長さ方向に間隔をあけてノズルを配置すると共に、上記ケース内面の所定位置に固定する一方、
上記フィルターの端面に連結して上記ケース外に突出した部位に回転用モータを付設し、該回転用モータを上記ポンプの駆動時に駆動させて高圧洗浄液噴射時には上記フィルターを回転させ、該フィルターの外面全周に高圧洗浄液を噴射させる構成としている。
【００１６】
上記ドレン管は処理液溜め部の底壁あるいは側壁下部に設けたドレン排出口に連続させるため、開閉弁を設け、該開閉弁を上記ポンプが駆動する洗浄液時のみ開き、汚物混入ドレン液を排出させ、非洗浄時の濾過時には上記開閉弁を閉鎖して、処理液溜め部に導入した未処理の処理液がドレン管を通して排出されないようにしている。
【００１７】
上記フィルターは断面三角形状としたウエッジワイヤーを軸線方向として環状に並設して連結した構成、或いは、メッシュ材やパンチング材からなる円筒材で構成している。
フィルター材としては上記ウエッジワイヤーを用いると、軸線方向の全長にわたってスリットを有するフィルターとすることができ、隣接配置するウエッジワイヤーの隙間を適宜寸法に設定することにより、フィルターの通過許容寸法を簡単に設定することができる。しかも、断面三角形であるため、濾過時における異物との接触面積が小さく、異物による目詰まりを発生させにくい。かつ、太い金属棒からなるウエッジワイヤーは剛性を有するため、高圧洗浄水を噴射しても変形が生じることもない。
【００１８】
【発明の実施の形態】
以下、本発明の実施形態を図面を参照して説明する。
図１乃至図６は第１実施形態の濾過器１０を示し、円筒状のケース本体１１の内部に円筒状のフィルター１２を収容し、該フイルター１２の中空部からなる濾過液溜め部Ａに洗浄液供給管１３に連結したノズルヘッダー１４を収容した状態で、上記ケース本体１１の上面に蓋１５を取り付けてケース内部を密閉構造としている。蓋１５の中心に洗浄液導入口１５ａを設け、該洗浄液導入口１５ａに上記洗浄液供給管１３を回転自在に貫通させ、その下端に上記ノズルヘッダー１４を連結して、ノズルヘッダー１４を濾過液溜め部Ａの略全長にわたって配置している。上記ケース内部のフィルター１２の外周面とケース内面との間の環状空間を異物が混入した処理液溜め部Ｂとしている。
【００１９】
上記ケース本体１１の底壁１１ａの中心には濾過液溜め部Ａと連通させた濾過液取出口１１ｂを開口し、濾過液取出管１６を連結している。また、底壁１１ａには処理液溜め部Ｂと連通させたドレン排出口１１ｃを設け、ドレン管１７と連結している。さらに、ケース１１の周壁１１ｄの上部に処理液流入口１１ｅを設け、異物が混入した汚水からなる処理液を導入する処理液導入管１８と連結している。
【００２０】
上記フィルター１２は図３および図４に示すように、フィルター素材として断面略三角形としたウエッジワイヤー２０を多数本用いて円筒を形成している。詳しくは、ウエッジワイヤー２０の頂点２０ａを内周側とし、底辺２０ｂを外周側として垂直方向に配置し、これら多数本のウエッジワイヤー２０を周方向に隣接させて円筒を構成し、円筒の内周面に軸線方向に間隔をあけて円環状の組立筋２１を配置し、これら組立筋２１を各ウエッジワイヤー２０と溶接して組み立てている。その際、ウエッジワイヤー２０の隣接する底辺２０ａの間の隙間２０ｃの寸法を調節することにより捕捉する異物の大きさを設定している。
【００２１】
上記フィルター１２に対して外周側より内周側に処理液が通過し、混入した異物Ｓはウエッジワイヤー２０の隙間２０ｃで捕捉されて、処理液Ｑ１が濾過液Ｑ２となってフィルター２０の中空部の濾過液溜め部Ａに流入する。
【００２２】
上記フィルター１２の中空部の濾過液溜め部Ａには、上記洗浄液供給管１３の下端に連結した矩形筒形状の上記ノズルヘッダー１４が中央部に位置し、該ノズルヘッダー１４には長さ方向に間隔をあけると共に対向位置にノズルチップ２３を取り付けている。該ノズルチップ２３より噴射する洗浄液Ｑ３は、フィルター１２の内周側から外周側へと、上記処理液の濾過方向と逆方向に噴射させる。
其の際、ノズルチップから噴射させる洗浄液Ｑ３はウエッジワイヤー２０に到達した時、異物を捕捉する最小隙間にむかって行く間に、凝縮され速度が早く大きくなる。そのため、より強力な力で異物を吹き飛ばすことができる。
また、ノズルチップ２３より噴射する洗浄液Ｑ３は扇形噴霧とし、各ノズルチップ２３からの噴霧は扇形とし、隣接する噴霧がラップしてフィルター１２の長さ方向の全長にわたって洗浄液を噴射させる設定としている。
【００２３】
また、上記蓋１５より上方へ突出する洗浄液供給管１３に回転板２４を外嵌固定し、該回転板２４を蓋１５上に搭載した回転用モータ２５により回転駆動させ、ノズルヘッダー１４を自転させて、ノズルチップ２３をフィルター１２の内周面に沿って移動させて、フィルター１２の全周に洗浄液を噴射している。
【００２４】
図２は上記濾過器１０と連結する配管および電気制御系に示す全体システム図である。上記濾過液取出管１６より循環管２７を分岐させ、該循環管２７を洗浄液供給管１３に回転軸受（図示せず）を介して連結している。この循環管２７に洗浄用ポンプ２８を介設している。また、該洗浄用ポンプ２８の上流位置にストレーナ５５を介設し、洗浄用ポンプ２８のメンテナンスを最小限としている。
上記洗浄用ポンプ２８の駆動制御するため、濾過器１０内の処理液溜め部Ｂの圧力Ｐ１と濾過液溜め部Ａの圧力Ｐ２との差圧を検出する差圧センサー３０を設けている。該差圧センサー３０の検出信号を制御器３１に送信し、Ｐ１＞Ｐ２になると共に、Ｐ１＞Ｐ２が設定時間Ｔ１継続すると、制御器３１よりポンプ２８を駆動させる制御を行い、洗浄を開始するようにしている。
【００２５】
なお、Ｐ１＞Ｐ２で且つ予め設定した閾値よりもＰ１が大となった場合にポンプ２８を駆動させる設定としてもよい。さらには、上記差圧センサー３０による圧力検出に因らず、タイマーを用いて、設定時間間隔でポンプ２８を駆動させて洗浄を間欠的に行わせる設定としてもよい。さらにまた、タイマーと差圧センサーとを併用してもよい。
【００２６】
さらに、上記循環管２７には、ストレーナ５５の上流側で上水道水供給管５０と分岐させ、この分岐位置に流路切替弁５１を介設している。即ち、濾過液の使用量が多くなった場合には、洗浄用に使用せず、洗浄は上水道水で行えるようにしている。
【００２７】
上記ドレン管１７に流路開閉弁３２を介設し、これら開閉弁３２を上記制御器３１で開閉制御し、ポンプ２８が駆動する洗浄期間は開閉弁３２を開くようにし、ポンプ２８の非駆動時には開閉弁３２を閉じるようにしている。
上記処理液導入管１８は処理液槽３５に開閉弁３３、ポンプ３６を介して連通させている。ポンプ３６と開閉弁３３の間よりバイパス管３９を設け、該バイパス管３９に開閉弁５６を介設すると共に先端を濾過液取出管１６に連通させている。濾過液取出管１６にはバイパス管３９との連通位置より上流に開閉弁４０を設けている。上記濾過液取出管１６とバイパス管３９との合流位置より、特殊洗浄用ノズル３７の供給管３８に連通している。
【００２８】
上記フィルター１２をメンテナンス等により濾過器１０より取り外す際には、開閉弁３３、４０を閉じる一方、バイパス管３９の開閉弁５６を開き、処理液槽３５の液体をバイパス管３９を通して供給管３８に供給している。
【００２９】
上記構成からなる装置において、図５に示すように、フィルター１２に捕捉された異物がフィルターのウエッジワイヤー２０の隙間２０ｃに付着し、フィルター１２に詰まりが発生すると、上記Ｐ１の圧力が大となって、Ｐ１＞Ｐ２となる。この関係が差圧センサー３０で検出され、制御器３１に送信される、かつ、設定時間Ｔ１が経過すると、洗浄用ポンプ２８が駆動し、洗浄液供給管１３に洗浄液を高圧で供給する。なお、洗浄用ポンプ２８の吐出圧は予め一定に設定しておいても良いし、上記差圧センサーによる検出値に応じて吐出圧を自動制御してもよい。即ち、差圧が大でフィルター１２の詰まりは大きい時は吐出圧を大として洗浄水をより高圧として、洗浄能力を高めてもよい。
【００３０】
洗浄用ポンプ２８の駆動と同時に、制御器３１により回転用モータ２５を駆動してノズルヘッダー１４を回転させる。また、同時に、ドレン管１７の開閉弁３２を開く。
【００３１】
洗浄液供給管１３にはポンプ２８より所要圧に加圧された濾過液Ｑ３が供給され、フィルター１２の中空部の濾過液溜め部Ａ内で回転するノズルヘッダー１４を通してノズルチップ２３より図６（Ａ）に示すように、フィルター１２の内周面に向かって、濾過方向と逆方向に、高圧洗浄水となる濾過液Ｑ３が噴射され、フィルター１２は洗浄される。この洗浄時に、図６（Ｂ）に示すように、フィルター１２のウエッジワイヤー２０の表面に付着すると共に隙間２０ｃに堆積している異物Ｓをフィルター１２の外周側の処理液溜め部Ｂへと吹き飛ばす。
処理液溜め部Ｂへと吹き飛ばされた異物Ｓが混入した洗浄後の洗浄液はケース本体１１の底壁１１ａに設けたドレン口よりドレン管１７を通して排出される。
【００３２】
制御器３１により予め設定している期間、上記洗浄を行い、期間経過後、ポンプ２８を停止し、開閉弁３２を閉じる。
なお、上記フィルターの洗浄時にも、処理液槽３５から濾過器１０への処理液の導入を継続スルト共に、濾過液の取り出しを継続し、ラインを止めないようにしている。
【００３３】
上記のように、フィルター１２の詰まりを差圧センサー３０で検出し、自動的にフィルター１２の洗浄を開始するため、常に、濾過作用を定常に保つことが出来る。かつ、洗浄時にフィルターをケースより取り出したり、移動させる必要がないと共に作業員による手作業での洗浄を不要とでき、さらに、洗浄水として濾過液を循環利用するため、節水効果を上げることができる。
【００３４】
なお、第１実施形態ではケース本体内の中央にフィルター１２を１個配置しているが、ケース本体を大容積とし、フィルターを間隔をあけて複数個配置し、各フィルター内部に回転駆動されるノズルヘッダーを配置し、該ノズルヘッダーに取り付けたノズルチップよりフィルターに高圧洗浄液を噴射してフィルターを逆洗浄する構成とすることが好ましい。該構成とすると、多量の処理液を一度に処理することが可能となる。
【００３５】
上記フィルター１２の中空部の濾過液溜め部Ａに配置する洗浄液噴射装置は、図７（Ａ）に示す角ヘッダータイプとしているが、図７（Ｂ）に示すように、洗浄液供給管１３’を濾過液溜め部Ａの下端近傍まで垂下させ、該洗浄液供給管１３’に長さ方向に一定間隔をあけ、かつ、１８０度対向位置にノズルアダプター４２を固着し、その先端にノズルチップ２３を先端に取り付ける構成としてもよい。さらに、図７（Ｃ）に示すように、一方向だけに向いたノズルチップ２３を取り付けてもよい。さらにまた、図７（Ｄ）に示すように、ノズルチップ２３を洗浄液供給管１３’に螺旋状に取り付けても良い。
さらに、上記差圧センサー３０は濾過液取出管１６内の濾過液と、濾過器１０内の処理液溜め部Ｂの処理液との液圧の差圧を検出する構成としても良い。
【００３６】
さらに、フィルター１２のフィルター材として上記実施形態のようにウエッジワイヤー２０を用いると、異物による目詰まりを発生させにくく利点があるが、金属製ワイヤーに代えて、樹脂製としてもよい。さらに、図８（Ａ）に示す金属製あるいは樹脂製のメッシュ材を用いてもよい、さらにまた、図８（Ｂ）に示す金属製のパンチングメタルあるいは樹脂製の穴あき板を用いてもよい。
【００３７】
図９は第２実施形態を示す。
第２実施形態は第１実施形態と濾過液溜め部と処理液溜め部とを逆とし、フィルター１２’の中空部を処理液溜め部Ｂ’、フィルター１２’の外部を濾過液溜め部Ａ’としている。それに伴い、処理液導入口１１ｅ’はケース底壁１１ａ’に設けてフィルタ１２’の中空部の処理液溜め部Ｂ’に連通させると共に、濾過液取出口１１ｂ’を周壁１１ｄ’に設けている。また、ドレン排出口１１ｃ’を底壁の処理液溜め部Ｂ’と連通する位置に設けている。
【００３８】
第１実施形態と同様に、濾過後の浄水を循環させると共にポンプで加圧されて高圧洗浄液を噴射する洗浄液供給管１３’は、ケース本体１１’の周壁１１ｄ’の内面に沿って固定している。
一方、ケース内部の中央に配置するフィルター１２’の上端面に上蓋１２ａ’を取り付け、該上蓋１２ａ’の中央に支軸５０を突設し、該支軸５０を蓋１５’より突出させ、第１実施形態と同様に、該支軸５０を蓋１５’に搭載した回転用モータ２５’で回転駆動している。
【００３９】
また、上記フィルター１２’は円筒形状に構成した金属メッシュより形成している。上記洗浄液供給管１３’には長さ方向に間隔をあけてフィルター１２’側に突出させ、ノズルチップ２３’を取り付けている。この洗浄液供給管１３’にポンプ２８’を駆動して浄水を導入する洗浄時期は、フィルター１２’に目詰まりが発生する期間を予測してタイマーで設定し、所要時間経過後は自動的にポンプ２８’が駆動すると共にフィルター回転用モータ２５’が駆動して洗浄を行うようにしている。他の構成は第１実施形態と同様であるため説明を省略する。
なお、第２実施形態においても、フィルター１２’は金属メッシュに限らず、前記した各種形態のフィルターを用いることができる。かつ、洗浄時期もタイマーだけに限定されず、第１実施形態と同様に差圧センサーを用いても良いし、タイマーと差圧センサーを併用してもよい。
【００４０】
第２実施形態においては、フィルター１２’の中空部の処理液溜め部Ｂ’に導入した固体異物が混入された処理液はフィルター１２’の内側から外側へと流通して、フィルター１２’で異物が捕捉され、濾過液はフィルター１２’の外側の濾過液溜め部Ａ’に溜まり、濾過液取出管１６’を通して取り出される。
【００４１】
フィルター１２’に目詰まりが発生する時期となると、タイマーの作動で自動的にポンプ２８’が駆動して洗浄液供給管１３’に高圧洗浄水を供給してノズルチップ２３’よりフィルター１２’の外周面に向けて高圧洗浄水を噴射する。同時にフィルター回転用モータ２５’が駆動して、フィルター１２’が回転する。よって、ノズルチップ２３’よりフィルター１２’の全外周面に向けて高圧洗浄水を噴射させることができる。
【００４２】
噴射された高圧洗浄水はフィルター１２’のメッシュに付着した異物をフィルター１２’内の処理液溜め部Ｂ’に吹き飛ばし、第１実施形態と同様にフィルター１２’を逆洗浄する。この処理液溜め部Ｂ’内に吹き飛ばされた異物および洗浄液は処理液溜め部Ｂ’内の底壁に設けたドレン排出口より排出される。
【００４３】
上記第２実施形態においても、ケース本体１１’の内部に複数の円筒状フィルター１２’を配置し、各フィルター１２’に向けて高圧洗浄水を噴射する洗浄液供給管１３’をケース内部に配管してもよい。
【００４４】
【発明の効果】
以上の説明より明らかなように、本発明によれば、フィルターの洗浄が自動開始でき、全く人手を介さずに全自動化を図ることができる。かつ、フィルターを洗浄する洗浄液として濾過液を循環させて再利用し節水をしていながら、ポンプにより加圧してノズルへと供給しているため、強い力でフィルターに洗浄液を噴射させることができ、フィルターに付着した異物を確実に除去することができ、特に、フィルターとしてウエッジワイヤーを用いると、ノズルからの噴射される洗浄液による異物除去を確実に行うことができる。
さらに、ノズルより洗浄液をフィルターに噴射して洗浄している時も、濾過器への処理液の導入を停止せず、濾過作用を連続させて、濾過液を濾過液取出管へと供給しているため、処理液の濾過器への導入、濾過作用、濾過液の取り出が中断されず、ラインを止めずに、濾過器内のフィルターの自動洗浄を行うことができる。
【００４５】
さらに、洗浄液噴射用のノズルはフィルターの全長にわたって配置されると共に、洗浄液供給管あるいはフィルターを回転させるため、フィルターの全周にわたって洗浄液を噴射させ、フィルター全体の洗浄を全く人手を介さずに自動化することができる。特に、洗浄液供給管を回転させる場合には、フィルターは濾過時のままとしておくことができ、フィルターの濾過器からの取り出しや移動、分解等が不要となる等の種々の利点を有するものである。
【図面の簡単な説明】
【図１】本発明の第１実施形態の一部断面斜視図である。
【図２】第１実施形態のシステム図である。
【図３】図１に示す濾過器の断面図でる。
【図４】フィルターの一部斜視図である
【図５】フィルターに異物が付着している状態を示す図面である
【図６】（Ａ）は洗浄時にノズルより洗浄液をフィルターに噴射している状態を示す図面、（Ｂ）はフィルターより異物が除去される状態を示す図面である。
【図７】（Ａ）は第１実施形態の洗浄用ノズルを示し、（Ｂ）（Ｃ）（Ｄ）は変形例を示す図面である。
【図８】（Ａ）（Ｂ）はフィルター材の変形例を示す図面である。
【図９】第２実施形態の一部断面斜視図である。
【符号の説明】
１０  濾過器
１１  ケース本体
１１ｂ  濾過液取出口
１１ｃ  ドレン排出口
１１ｅ  処理液流入口
１２  フィルター
１３  洗浄液供給管
１４  ノズルヘッダー
１５  蓋
１６  濾過液取出管
１７  ドレン管
１８  処理液導入管
２０  ウエッジワイヤー
２３  ノズルチップ
２５  回転用モータ
２７  循環管
２８  洗浄用ポンプ
３０  差圧センサー
３１  制御器
Ａ    濾過液溜め部
Ｂ    処理液溜め部
Ｑ１  処理液
Ｑ２  濾過液
Ｑ３  高圧洗浄液
【図１】
2004230298.tif 000003
【図２】
2004230298.tif 000004
【図３】
2004230298.tif 000005
【図４】
2004230298.tif 000006
【図５】
2004230298.tif 000007
【図６】
2004230298.tif 000008
【図７】
2004230298.tif 000009
【図８】
2004230298.tif 000010
【図９】
2004230298.tif 000011